(57)【特許請求の範囲】
【請求項１】
カメラによって撮像された撮像データを記憶部に記憶し、前記記憶部に記憶された画像データによりディスプレイに画像を表示させるカメラ付き携帯電話において、
前記カメラによって撮像された撮像データをフレーム毎に前記記憶部に転送させる転送処理を実行するカメラ制御手段と、
前記カメラ制御手段により１フレーム分の撮像データを前記記憶部に転送させる転送処理を実行しているときに、前記カメラの機能に関係しない他のイベントが発生すると、前記他のイベントの発生を記憶する手段と、
前記カメラ制御手段により１フレーム分の撮像データを前記記憶部に転送させる転送処理を実行する毎に、前記記憶する手段に前記他のイベントの発生が記憶されているか否かに基づいて前記他のイベントが発生したか否かを判定する判定手段と、
この判定手段により前記他のイベントが発生したことが判定されると、前記カメラ制御手段による前記転送処理を禁止して、前記他のイベントに対応した対応処理を行う手段とを有し、前記判定手段により前記他のイベントが発生していなかったことが判定されると、前記カメラ制御手段に前記１フレームの次のフレーム分の撮像データを前記記憶部に転送させる転送処理を実行させることを特徴とするカメラ付き携帯電話。
【請求項２】
前記他のイベントに対応した対応処理は、前記カメラ制御手段による前記転送処理とともに同一のコンピュータで実行されることを特徴とする請求項１に記載のカメラ付携帯電話。
【請求項３】
前記他のイベントの発生は、ページングチャネルのメッセージ受信であることを特徴とする請求項１または２に記載のカメラ付携帯電話。
【発明の詳細な説明】
【０００１】
【発明の属する技術分野】
本発明は、カメラ撮像するカメラを有するカメラ付携帯電話に関する。
【０００２】
【従来の技術】
近年、カメラ付携帯電話では、待ち受け中にて、カメラによって画像を撮像することと、この撮像された画像をカラー液晶ディスプレイに表示させることとを繰り返す撮像処理を実行するものが提案されている。これにより、カラー液晶ディスプレイが、撮像画像を動的に表示でき、カラー液晶ディスプレイをカメラのファインダーとして機能させることができる。
【０００３】
【発明が解決しようとする課題】
ところで、上述の携帯電話において、デジタルシグナルプロセッサが、待ち受け中にて、着信情報、基地局情報等を示すメッセージを受信するために、基地局からページングチャネルをサーチする必要がある。さらには、デジタルシグナルプロセッサが、ユーザによるキー操作部の操作を検出しその検出に基づき各種処理を行う必要がある。
【０００４】
従って、同一のデジタルシグナルプロセッサで、カメラ撮像以外に、ページングチャネルのサーチ処理、及び、キー操作部における操作の検出処理を行うと、カメラ撮像処理の実行中にて、デジタルシグナルプロセッサの処理は、カメラ撮像処理に占有される。
【０００５】
例えば、デジタルシグナルプロセッサが、数フレーム分のカメラ撮像処理を行った後、ページングチャネルのサーチ処理を行うと、複数フレーム分のカメラ撮像処理中に、ページングチャネルで着信情報が基地局から送信されてきても、着信情報に対して対応処理を行うことができない。
【０００６】
従って、複数フレーム分のカメラ撮像処理中に、ページングチャネルで着信情報が基地局から送信されてくると、着信情報を即座にユーザに通知することができない。すなわち、ユーザに対して着信情報の通知が遅れるといった問題が生じることになる。
【０００７】
本発明は、上記点に鑑み、カメラ撮像以外の他のイベントの対応の遅れを抑えるようにしたカメラ付携帯電話を提供することを目的とする。
【０００８】
【課題を解決するための手段】
本発明は、上記目的を達成するために、カメラによって撮像された撮像データを記憶部に記憶し、記憶部に記憶された画像データによりディスプレイに画像を表示させるカメラ付き携帯電話において、カメラによって撮像された撮像データをフレーム毎に記憶部に転送させる転送処理を実行するカメラ制御手段と、カメラ制御手段により１フレーム分の撮像データを記憶部に転送させる転送処理を実行しているときに、カメラの機能に関係しない他のイベントが発生すると、他のイベントの発生を記憶する手段と、カメラ制御手段により１フレーム分の撮像データを記憶部に転送させる転送処理を実行する毎に、記憶する手段に他のイベントの発生が記憶されているか否かに基づいて他のイベントが発生したか否かを判定する判定手段と、この判定手段により他のイベントが発生したことが判定されると、カメラ制御手段による転送処理を禁止して、他のイベントに対応した対応処理を行う手段とを有し、判定手段により他のイベントが発生していなかったことが判定されると、カメラ制御手段に１フレームの次のフレーム分の撮像データを記憶部に転送させる転送処理を実行させることを特徴とする。
【０００９】
これにより、１フレーム分の撮像データを記憶部に転送させる転送処理を実行する毎に、カメラ機能に関係しない他のイベントが発生しているか否かを判定する。ここで、他のイベントが発生しているとき、カメラ制御手段による転送処理を禁止して、他のイベントに対応した対応処理を行う。従って、他のイベントの対応を実施でき、他のイベントの対応の遅れを抑えることができる。
【００１２】
【発明の実施の形態】
図１に本発明の一実施形態のカメラ付携帯電話を示す。図１（ａ）は、カメラ付携帯電話の正面を示す斜視図、図１（ｂ）は、カメラ付携帯電話の背面を示す斜視図である。
【００１３】
図１（ａ）に示すように、カメラ付携帯電話は、直方体のケース１０を備え、ケース１０の正面には、カラー液晶ディスプレイ２０、キーパッド３０、マイクロホン４０、及び、スピーカ５０が配設されている。また、ケース１０の頂部には、伸縮可能に形成されたアンテナ６０が配設されている。図１（ｂ）に示すように、ケース１０の背面には、カメラ７０が配設されている。
【００１４】
次に、カメラ付携帯電話の概略電気回路構成につき図２を用いて説明する。図２は、カメラ付携帯電話の概略電気回路構成を示すブロック図である。
【００１５】
図２に示すように、カメラ付携帯電話には、カラー液晶ディスプレイ２０、キーパッド３０、マイクロホン４０、スピーカ５０、アンテナ６０、カメラ７０に加えて、無線部８０、音声処理部９０、記憶部１００、制御部１１０、駆動回路（カメラＩＣ）１２０が設けられている。
【００１６】
カラー液晶ディスプレイ２０は、制御部１１０のデジタルシグナルプロセッサ（以下、ＤＳＰ１１０ａという）によって制御されて、各種画像を表示する。キーパッド３０は、発呼キー、終話キー、十字キー等の各キーを有する。また、マイク４０は、送話音声を受けて送話信号を音声処理部９０に出力し、スピーカ５０は、音声処理部９０からの受話信号を受けて受話音声を出力する。
【００１７】
アンテナ６０は、基地局からの下り通信信号を電波を媒体として受信する一方、上り通信信号を電波を媒体として基地局に送信する。無線部８０は、送信信号を変調処理して上り通信信号を生成して、この上り通信信号をアンテナ６０に出力する。また、無線部８０は、アンテナ６０から下り通信信号を受け、この下り通信信号を復調処理して復調信号を求める。
【００１８】
音声処理部９０は、ＤＳＰ１１０ａにより制御されて、復調信号をデジタル−アナログ変換処理して受話信号を生成するとともに、この受話信号をスピーカ５０に出力する。また、音声処理部９０は、制御部１１０により制御されて、送話信号をアナログ−デジタル変換処理して送信信号を生成するとともに、この送信信号を無線部８０に出力する。
【００１９】
カメラ７０は、ケース１０の背面側に向けてマトリックス状に配列された各カメラデバイス７１を有する。各カメラデバイス７１には、個々に、フォトダイオード７１ｒ、７１ｇ、７１ｂが設けられている。
【００２０】
ここで、フォトダイオード７１ｒは、撮影対象物から赤色光を受けて電荷に変換して蓄積する。フォトダイオード７１ｇは、撮影対象物から緑色光を受けて電荷に変換して蓄積する。フォトダイオード７１ｂは、撮影対象物から青色光を受けて電荷に変換して蓄積する。これにより、各カメラデバイス７１は、一回の撮像毎に、一定期間にて、赤色光、青色光、緑色光を個々に電荷に変換して蓄積する。
【００２１】
また、駆動回路１２０は、ＤＳＰ１１０ａによって制御されて、各フォトダイオード７１ｒ、７１ｇ、７１ｂにて蓄積された電荷量を検出して検出データを記憶部１００に記憶させる。記憶部１００には、撮像データに加えて、ＤＳＰ１１０ａのコンピュータプログラムが記憶されている。制御部１１０のＤＳＰ１１０ａは、待ち受けカメラ処理等を実行する。
【００２２】
ここで、ＤＳＰ１１０ａには、内蔵レジスタ１１１が設けられている。内蔵レジスタ１１１は、割込禁止中にて、アンテナ６０を通して無線部８０を経て受信したページングチャネルのメッセージを保持する。
【００２３】
以下、待ち受けカメラ処理について図３を用いて説明する。図３は、待ち受けカメラ処理を示すフローチャートである。先ず、ＤＳＰ１１０ａは、図３に示すフローチャートに従って、コンピュータプログラムの実行を開始する。
【００２４】
先ず、外部割込を禁止するとともに、カメラ撮像として、撮像許可信号（撮像電位）を所定期間だけ駆動回路１２０に与える（ステップ２００、２００ａ）。従って、駆動回路１２０は、所定期間だけ、各カメラデバイス７１のフォトダイオード７１ｒ、７１ｇ、７１ｂに電荷を蓄積させる。なお、上記所定期間は、カメラの受光量によって設定される。
【００２５】
次に、ステップ２１０において、駆動回路１２０による撮像許可信号の出力を停止するとともに、撮像データの転送を実行する。具体的には、駆動回路１２０によって、フォトダイオード毎の電荷量を撮像データとして検出させるとともに、この撮像データを記憶部１００に転送させる。
【００２６】
次に、１フレーム分の撮像データの転送が終了したか否かを判定する（ステップ２２０）。ここで、記憶部１００に１フレーム分の撮像データが記憶されたとき、１フレーム分の撮像データの転送、ひいては、１フレーム分のカメラ撮像が終了したと判定して、ステップ２３０に進む。
【００２７】
次に、ステップ２３０において、外部割込の禁止を解除する。これに伴い、記憶部１００に記憶された撮像データに基づいて、カラー液晶ディスプレイ２０を制御するため、カラー液晶ディスプレイ２０は、撮像データを表示する。
【００２８】
次に、ステップ２４０において、ページングチャネルのメッセージ受信が有るか否かを判定する。ここで、内蔵レジスタ１１１に、メッセージが保持されているとき、ページングチャネルのメッセージ受信が有ると判定し、撮像データの転送を禁止して、ステップ２５０に進む。
【００２９】
ここで、内蔵レジスタ１１１内のページングチャネルのメッセージを検出して、この検出されたメッセージに基づいて音声処理部９０を制御するので、音声処理部９０は、スピーカ５０から着信音を発生させる。
【００３０】
また、ステップ２４０において、内蔵レジスタ１１１に、メッセージが保持されていないとき、ページングチャネルのメッセージ受信が無いと判定して、ステップ２００に戻る。このため、メッセージ受信が無い限り、複数フレーム連続して、撮像データの転送とその撮像データの表示とを連続して行う。
【００３１】
図４において、撮像許可信号とカメラ撮像処理とのタイムチャートを示す。
【００３２】
先ず、タイミングｔ０において、ＤＳＰ１１０ａは、外部割込を禁止するとともに、撮像許可信号を駆動回路１２０に出力する。これに伴い、駆動回路１２０は、各カメラデバイス７１のフォトダイオード毎に電荷量を蓄積させる。
【００３３】
次に、タイミングｔ１において、ＤＳＰ１１０ａは、撮像許可信号の出力を停止する。これと共に、駆動回路１２０は、フォトダイオード毎の蓄積電荷を検出して、この検出された蓄積電荷を撮像データとして記憶部１００に転送する。これにより、記憶部１００は、撮像データを記憶できる。
【００３４】
次に、タイミングｔ１２において、他イベントが発生する。すなわち、タイミングｔ１２にて、無線部８０がページングチャネルのメッセージをアンテナ６０を通して受信すると、無線部８０は、ページングチャネルのメッセージをＤＳＰ１１０ａのレジスタ１１１に出力する。これにより、レジスタ１１１は、ページングチャネルのメッセージを保持できる。
【００３５】
次に、タイミングｔ２において、記憶部１００に対して１フレーム分の撮像データの転送が終了する。すると、ＤＳＰ１１０ａは、外部割込の禁止を解除するとともに、カラー液晶ディスプレイ２０によって、１フレーム分の撮像データを表示させる。
【００３６】
さらに、レジスタ１１１に保持されたページングチャネルのメッセージに基づいて、音声処理部９０を制御するため、音声処理部９０によってスピーカ５０から着信音を発生させる。
【００３７】
以下、本実施形態の特徴につき述べる。すなわち、ＤＳＰ１１０ａは、撮像許可信号を所定期間だけ駆動回路１２０に出力し、駆動回路１２０は、所定期間だけ、各カメラデバイス７１のフォトダイオード７１ｒ、７１ｇ、７１ｂに電荷を蓄積させる。さらに、ＤＳＰ１１０ａは、駆動回路１２０によって、フォトダイオード毎の蓄積電荷量を１フレーム分の撮像データとして記憶部１００に転送する。
【００３８】
ここで、ＤＳＰ１１０ａは、１フレーム分の撮像データの転送が終了する毎に、ページングチャネルのメッセージ受信（他のイベントの発生）が有るか否かを判定する。ここで、レジスタ１１１内にページングチャネルのメッセージが保持されているとき、メッセージ受信が有ると判定して、撮像データの転送を禁止する。これに伴って、音声処理部９０によってスピーカ５０から着信音を発生させる。
【００３９】
ここで、各カメラデバイス７１から複数フレーム分の撮像データを記憶部１００に転送する毎に、メッセージ受信に対応して着信音を発生するか否かを判定することも考えられる（図５参照）。
【００４０】
これに対して、本実施形態では、各カメラデバイス７１から１フレーム分の撮像データを記憶部１００に転送する毎に、メッセージ受信に対応して着信音を発生するか否かを判定できる。従って、メッセージ受信に対応する着信音の発生の遅れを抑制できる。
【００４１】
ここで、本実施形態のように、撮像データを記憶部１００に転送させる処理と、音声処理部９０によってスピーカ５０から着信音を発生させる処理とを、同一のＤＳＰ１１０ａで実行するものの、着信音の発生の遅れを抑制するには好適である。
【００４２】
なお、上記実施形態では、１フレーム分の撮像データの転送が終了したとき、メッセージ受信に対応して着信音を発生するか否かを判定する例について説明したが、これに限らず、次のようにしてもよい。
【００４３】
すなわち、１フレーム分の撮像データの転送が終了したとき、１フレーム分の撮像データの転送中にて、ユーザによるキー操作部３０の操作が有るか否かを判定する。そして、１フレーム分の撮像データの転送中にて、キー操作部３０の操作が有ったと判定されたとき、キー操作部３０の操作に対する対応処理（例えば、発信処理）を行ってもよい。
【００４４】
なお、本発明の実施にあたり、コンピュータとしては、ＤＳＰ以外のマイクロコンピュータ等を適用してもよい。
【００４５】
なお、上記実施形態では、カメラ付携帯電話としては、カメラ７０を携帯電話に内蔵させたものの例につき説明したが、これに限らず、携帯電話と別体にカメラを採用して、携帯電話とカメラとを接続した状態で、カメラが、携帯電話に内蔵された制御部（ＤＳＰ）により制御されて、カメラ撮像するものを採用してもよい。
【図面の簡単な説明】
【図１】本発明の一実施形態に係るカメラ付携帯電話を示す斜視図である。
【図２】図１に示すカメラ付携帯電話の概略電気回路構成を示すブロック図である。
【図３】図２に示すＤＳＰにおける待受けカメラ処理を示すフローチャートである。
【図４】上記一実施形態の待受けカメラ処理を示すタイムチャートである。
【図５】上記一実施形態の効果を説明するためのタイムチャートである。
【符号の説明】
１１０ａ…ＤＳＰ。
【図１】
0003849479.tif 000002
【図２】
0003849479.tif 000003
【図３】
0003849479.tif 000004
【図４】
0003849479.tif 000005
【図５】
0003849479.tif 000006